(57)【特許請求の範囲】
【請求項１】
利用者を撮影する撮影装置と、少なくとも音楽情報を記録する記録装置と、前記音楽情報を再生して音楽を出力する音響装置と、利用者に対して情報を視覚的に表示する表示部を有する表示装置と、前記撮影装置、音響装置、及び表示装置を制御する制御手段とを備え、前記音響装置から再生される音楽の進行中における所定のタイミングで前記撮影装置による写真撮影を実行する自動写真撮影装置であって、
前記制御装置は、前記表示部に設定された軌道上に第２マークと、前記軌道上を当該第２マークに接近する方向に移動する第１マークとを表示するとともに、前記第１、第２マークの表示位置が一致するタイミングに合わせて前記撮影装置による写真撮影を実行し、
前記軌道上に複数の前記第１マークが表示される場合には、前記制御装置は、当該複数の第１マークのそれぞれを、前記軌道上の異なる位置において同一の速度で移動させつつ表示することを特徴とする自動写真撮影装置。
【請求項２】
利用者を撮影する撮影装置と、少なくとも音楽情報を記録する記録装置と、前記音楽情報を再生して音楽を出力する音響装置と、利用者に対して情報を視覚的に表示する表示部を有する表示装置と、前記撮影装置、音響装置、及び表示装置を制御する制御手段とを備え、前記音響装置から再生される音楽の進行中における所定のタイミングで前記撮影装置による写真撮影を実行する自動写真撮影装置であって、
前記制御装置は、前記表示部に設定された軌道上を所定方向に移動する第１マークを表示し、前記第１マークが前記軌道上の所定位置に到来するタイミングに合わせて、前記撮影装置による写真撮影を実行し、
前記軌道上に複数の前記第１マークが表示される場合には、前記制御装置は、当該複数の第１マークのそれぞれを、前記軌道上の異なる位置において同一の速度で移動させつつ表示することを特徴とする自動写真撮影装置。
【請求項３】
移動表示される前記第１マークの移動方向が、上方から下方に向かうものであることを特徴とする請求項１又は２に記載の自動写真撮影装置。
【請求項４】
前記記憶装置には、複数の曲目の音楽情報が記録されており、複数の曲目から演奏される曲目を選択するための曲目選択手段を更に備えることを特徴とする請求項１〜３のいずれか一項に記載の自動写真撮影装置。
【請求項５】
前記記録装置に、歌曲を再生するための音楽情報が記録されていることを特徴とする請求項１〜４のいずれか一項に記載の自動写真撮影装置。
【請求項６】
前記表示部には、前記撮影装置から撮影された画像がプレビュー表示されることを特徴とする請求項１〜５のいずれか一項に記載の自動写真撮影装置。
【請求項７】
前記表示部には、前記音響装置から出力される音楽に合わせて姿態を変化させる人型キャラクタ画像が表示されることを特徴とする請求項１〜６のいずれか一項に記載の自動写真撮影装置。
【請求項８】
前記制御手段は、前記音響装置が出力する音楽の間奏中には、前記撮影装置による写真撮影を実行しないことを特徴とする請求項１〜７のいずれか一項に記載の自動写真撮影装置。
【請求項９】
前記制御手段は、前記音響装置が出力する音楽の間奏中に、前記撮影装置に搭載されるバッファメモリに記録された画像情報を、記憶装置に伝送することを特徴とする請求項８に記載の自動写真撮影装置。
【請求項１０】
前記撮影手段の撮影視野内に配置可能な複数の背景手段を更に備え、音楽の前奏または間奏中に撮影視野内に配置される背景手段の選択が、前記制御手段の制御に基づいて行なわれることを特徴とする請求項１〜９のいずれか一項に記載の自動写真撮影装置。
【請求項１１】
前記撮影手段の撮影視野内に配置可能な複数の背景手段を更に備え、前記制御装置は、音楽の前奏または間奏中に撮影視野内に配置される背景手段の選択を利用者に指示することを特徴とする請求項１〜９のいずれか一項に記載の自動写真撮影装置。
【請求項１２】
前記複数の背景手段が、色彩、模様、風合または質感がそれぞれ異なる素材で構成されるカーテン又は板状部材であることを特徴とする請求項１０又は１１に記載の自動写真撮影装置。
【請求項１３】
撮影した画像に対する編集、撮影した画像のレイアウト、及び、撮影した画像の印刷、撮影した画像データの送信のいずれか一以上の機能を備えることを特徴とする請求項１〜１２のいずれか一項に記載の自動写真撮影装置。
【発明の詳細な説明】
【０００１】
【発明の属する技術分野】
本発明は、写真撮影の雰囲気をより楽しいものとすることができる自動写真撮影装置に関し、特に、演奏される音楽を楽しみつつ写真撮影を行うことができる自動写真撮影装置に関する。
【０００２】
【従来の技術】
従来よりＣＣＤカメラなどの撮影手段により利用者の写真を撮影する自動写真撮影装置においては、撮影におけるアミューズメント性を高めるため、或いは、より多様な印象を与える写真の撮影を可能とするために種々の工夫がなされている。
【０００３】
例えば、一連の写真撮影（撮影セッション）をプログラム制御で自動的に進行させ、ＲＧＢライトやスポットライトなどの照明による演出やバックミュージックなどの音響演出を撮影タイミング毎に変化させ、或いは更に、予め設定された写真撮影のタイミングに同期させて、利用者に対してポーズや表情などを指示する音声インストラクションをスピーカから出力する自動写真撮影装置が知られている。
【０００４】
更にこのような自動写真撮影装置では、音声インストラクションの種類を複数準備し、それぞれ声質、声調、話し方、或いは、インストラクションの内容に特徴を持たせることで、より多様な撮影セッションを実現することが行われている。
【０００５】
【発明が解決しようとする課題】
しかしながら、音響装置から出力される音楽に合わせて利用者が自由な表情やポーズを取り、或いは、ダンスを踊っている状態の写真撮影を行う自動写真撮影装置は存在しなかった。
【０００６】
また、このような音響装置から音楽を出力しつつ写真撮影のセッションを進行させる自動写真撮影装置においても、写真撮影が行われるタイミングを利用者に告知することが必要となるが、音声インストラクションによる告知を行うと、その音声により音楽の雰囲気が損なわれる場合があり、また、大音量の音楽を出力した場合には音声インストラクションが聞き取りづらいという問題がある。
【０００７】
また、ＣＲＴなどの画面上でのカウントダウン表示やランプの点滅により撮影タイミングを知らせることも考えられるが、かかる方法では、利用者は撮影セッションの進行中、常にカウントダウン表示やランプの点滅が開始されないかを注視していなければならないという問題があり、更に、音楽に合わせて体を動かし、或いは、ダンスを踊っている利用者にとっては、このような方法による告知では撮影タイミングを把握することが容易でないという問題がある。
【０００８】
【課題を解決するための手段】
本発明は、かかる課題に鑑みてなされたものであり、利用者を撮影する撮影装置と、少なくとも音楽情報を記録する記録装置と、前記音楽情報を再生して音楽を出力する音響装置と、利用者に対して情報を視覚的に表示する表示部を有する表示装置と、前記撮影装置、音響装置、及び表示装置を制御する制御手段とを備え、前記音響装置から再生される音楽の進行中における所定のタイミングで前記撮影装置による写真撮影を実行する自動写真撮影装置であって、前記制御装置は、前記表示部に設定された軌道上に第１マークと第２マークを表示するとともに、前記第１、第２マークの少なくとも一方は前記軌道上を両者が接近する方向に移動させつつ表示し、前記第１、第２マークの表示位置が一致するタイミングに合わせて、前記撮影装置による写真撮影を実行することを特徴とする自動写真撮影装置である。
【０００９】
本発明によれば、音響装置から再生される音楽の進行における所定のタイミングで写真撮影が行われることとなり、利用者は、音楽を楽しみながら、或いは、音楽に合わせて自由に表情やポーズを変化させ、乃至、ダンスを踊りつつ写真撮影を行うことができる。
【００１０】
ここで、写真撮影は、音楽の進行に合わせて複数回実行されるものとすることができ、個々の写真撮影は、音楽の盛り上がりの部分において行われるよう設定し、或いは、音楽に合わせてテンポよく撮影が行われるよう設定するなど、撮影の雰囲気を盛り上げるために種々の工夫をすることができる。
【００１１】
また本発明においては、写真撮影が行われるタイミングは、表示装置が備える表示部に移動表示される第１マークと第２マークの表示位置が一致するタイミングに合わせて行われるものであるため、利用者は、音楽から気をそらされることなく、容易かつ自然に撮影のタイミングを知ることができる。
【００１２】
また、かかる態様による告知方法は、第１マークが軌道上を移動する距離や速度を適切に設定することにより、第１マークが表示部上に表示されてから、第２マークの表示位置に到来するまでの時間を十分長いものとすることが可能であり、これにより、撮影セッションの進行中、表示装置を常に注視していなければならないという問題が解決される。
【００１３】
ここで、第１マークと第２マークの表示位置が一致するタイミングに合わせての写真撮影の実行は、必ずしも両マークの表示位置が一致するタイミングと写真撮影のタイミングを完全に同時とすること要するものではなく、両タイミングの間に一定の時間間隔を設けるものとすることも可能であり、これにより、例えば、利用者が余裕をもってポーズを作るための時間を提供するよう構成することも可能である。
【００１４】
なお、本発明においては、第１マーク、第２マークの色、形状、大きさ等の形態に特段の制限はないが、例えば、第１マークの形状を移動の方向に一頂点が方向付けられた三角形状や移動の方向に向けた矢印形状とし、第２マークの形状を軌道に対して垂直な直線状のマークとすることで表示の意味を理解しやすいものとすることが可能である。また、第１マーク、第２マークの形態や表示位置、移動経路などは、撮影セッション或いは音楽の進行に応じて変更するものとしても構わない。
【００１５】
本発明の軌道は、第１マーク、第２マークの表示部上における表示位置、移動経路を規定するものとして予め設定されていれば足り、必ずしも目視可能な態様で表示部に表示することは必要ではない。また、軌道は、直線的なものに限らず、曲線状、円状など任意の形態とすることができ、撮影セッション或いは音楽の進行に応じて形態を変形するものとしても構わない。
【００１６】
また、本発明における写真撮影は、例えばＣＣＤカメラを利用して、撮影の瞬間の画像を撮影装置が備えるバッファメモリ等に記録することによって行うものであってもよく、或いは、連続的に撮影されるビデオ画像から、撮影の瞬間の画像を固定記録するものであっても良い。
【００１７】
また本発明は、利用者を撮影する撮影装置と、少なくとも音楽情報を記録する記録装置と、前記音楽情報を再生して音楽を出力する音響装置と、利用者に対して情報を視覚的に表示する表示部を有する表示装置と、前記撮影装置、音響装置、及び表示装置を制御する制御手段とを備え、前記音響装置から再生される音楽の進行中における所定のタイミングで前記撮影装置による写真撮影を実行する自動写真撮影装置であって、前記制御装置は、前記表示部に設定された軌道上を所定方向に移動する第１マークを表示し、前記第１マークが前記軌道上の所定位置に到来するタイミングに合わせて、前記撮影装置による写真撮影を実行することを特徴とする自動写真撮影装置とすることもできる。
【００１８】
かかる本発明においては、第２マークの表示が省略されているが、第１マークが例えば軌道端部に到来したタイミングで写真撮影を行うこととする等により、上述の場合と同様に、利用者に対する撮影タイミングの適切な告知を行うことができる。
【００１９】
かかる本発明における、第１マークの形態、軌道上の表示位置、移動速度などに制限はなく、これらは、撮影セッション或いは音楽の進行に応じて変更するものとしても構わない。
【００２０】
また、軌道は、第１マークの表示部上における表示位置、移動経路を規定するものとして予め設定されるものであって、必ずしも目視可能な態様で表示されることは必要ではく、直線的なものに限らず、曲線状、円状など任意の形態とすることができ、撮影セッション或いは音楽の進行に応じて形態を変形するものとすることが可能である。
【００２１】
また、本発明における制御装置は、表示部に設定された軌道上のそれぞれ異なる位置に複数の第１マークを表示するものとすることが可能であり、かかる態様によれば、利用者に対して複数回の撮影のタイミングを同時に告知することが可能となる。
【００２２】
また、本発明における制御装置は、表示部に設定された軌道上のそれぞれ異なる位置に２以上の第１マークを表示させるとともに、それぞれの第１マークを軌道上において同一の速度で移動させるものとすることが可能であり、かかる態様によれば、各撮影のタイミングや連続して行われる撮影の回数、或いは、撮影と撮影の間隔などの把握をより容易なものとすることが可能となる。
【００２３】
更に、第１マークの移動を、表示部における上方から下方に向けての移動とすることにより、撮影タイミングの把握を更に容易なものとすることができる。
【００２４】
また、記憶装置に複数の曲目の音楽情報を記録させ、演奏される曲目を選択するための曲目選択手段を設けることにより、自動写真撮影装置の利用価値を向上させることができる。
【００２５】
また、歌曲が再生される自動写真撮影装置とすることにより、自動写真撮影装置をより広い利用者層に対して魅力ある装置とすることができる。
【００２６】
また、表示装置が備える表示部に、プレビュー画像を表示することにより、利用者は、音響装置から出力される音楽に合わせた自身の動作、姿態を確認しつつ、写真撮影を行うことが可能となる。
【００２７】
また、表示装置が備える表示部に、音響装置から出力される音楽に合わせて姿態を変化させる人型キャラクタ画像を表示することができ、利用者はかかる表示を、自身が取るべき姿態、動作の参考として利用することができる。
【００２８】
また、本発明においては、音響装置が出力する音楽の間奏中には、撮影装置による写真撮影の実行を行わないものとすることができ、その間奏中に撮影装置に搭載されるバッファメモリに記録された画像情報を、記憶装置に伝送するものとすることにより、バッファメモリの容量が小さい場合においても、より多くの写真撮影を可能とすることができる。
【００２９】
なお、画像上方の伝送を受ける記憶装置は、音楽情報が記憶される記憶装置と同一のとしても良く、或いは、それぞれ別の記憶装置を使用するものとしても構わない。
【００３０】
また、本発明は、自動写真撮影装置を、色彩、模様、風合い、質感などがそれぞれ相違するカーテンや背景板により構成される複数の背景手段を備えるものとし、音楽の前奏または間奏中に背景手段を選択するよう構成することで、間奏の前後で異なる雰囲気の写真撮影を行うことが可能となるとともに、前奏や間奏の間に利用者が退屈することを防止することが可能となる。
【００３１】
この場合、背景手段の選択は、制御手段の制御に基づいて行われるよう構成することも可能であり、或いは、表示装置の表示部上のインストラクションなどにより、利用者に対して背景手段の選択を指示することも可能である。
【００３２】
【発明の実施の形態】
以下、本発明の実施形態を、添付の図面を参照して説明する。
【００３３】
図１は、本発明の一実施形態に係る自動写真撮影装置１の構成を示す斜視説明図であり、図２は、同自動写真撮影装置１のシステム構成図である。
【００３４】
図１に示されるように、筐体１０は、該筐体の略中央部に設置されたＣＣＤカメラ１１、該カメラにより撮影したリアルタイムの映像や、利用者に対する撮影タイミングの告知などを表示する表示部１２を有する表示装置が設けられており、ＣＣＤカメラ１１下方には、各種情報の表示及び入力のためのタッチパネル式モニタ１３及びタッチペン１４が設けられている。
【００３５】
筐体１０の上部には、更に、撮影の際、ブース内の利用者に適切な照明を照射するための照明装置１５、音楽や利用者に対する案内を再生するためのスピーカ１６、利用料金を受け入れるためのコイン投入口１７が設けられている。
【００３６】
また筐体１０の側面には、印刷された写真シールを排出する写真シール排出口１８が設けられている。
【００３７】
また、撮影ブース２０は、筐体１０に隣接して設けられ、撮影ブース２０の天井面２１、両側面２２、および筐体の対向面に位置する背面２３と、筐体１０により囲まれる空間に撮影スペースが形成されており、更に撮影ブースの一側面または両側面２２には利用者が出入りするための開口２４が設けられ、開口２４には、必要に応じて該開口の開閉を行うためのカーテン乃至アコーディオンドアが設けられている。
【００３８】
撮影ブース２０後部における天井面２１には、それぞれ色彩、模様、風合または質感などが異なるロール状に巻かれた複数のカーテン２５を選択的に繰り出し、或いは、巻き戻して収容するカーテン装置２６が設けられており、後述する制御手段３０による制御に従って、任意のカーテン２５を繰り出すことで、撮影時の背景の変更を可能なものとされている。
【００３９】
なお更に、背景として使用されるカーテン２５に付される色彩、模様、風合または質感に応じて適切に調整された照明を行うことで、利用者の撮影画像を、カーテン２５に表現される風景等により適合した自然なものとすることが可能である。
【００４０】
同様に、撮影ブース２０後部の一側面には、支柱２７が設置されるとともに、板状部材からなる複数の背景板２８が、上記支柱に対して回動可能に取り付けられており、利用者が希望する背景板２８を、側面２２に平行に配置される収容位置から、背面に平行に配置される使用位置に移動させることにより、当該背景板２８を背景とした写真撮影を行うことが可能とされている。
【００４１】
なお、ここで使用される複数の背景板２８は、それぞれ異なる模様、色彩などが施され、当該模様、色彩などに応じて表面に凹凸を設けたものとすることにより、当該模様、色彩などにより表現されるべきオブジェが備える質感をよりリアルに再現するものとすることができ、これにより、カーテンやクロマキー画像を背景として使用する撮影では得られない、よりリアルな背景付き画像の撮影を可能とすることができる。
【００４２】
また、筐体１０の内部には、図２に示される制御手段３０が設置されている。
【００４３】
制御手段３０は、バス３１により相互に接続されるＣＰＵ３２、ＣＰＵを制御する基本プログラムを格納するＲＯＭ３３、ＣＰＵ３２の作業用データや、一時データを記録するＲＡＭ３４、及び、インターフェース（Ｉ／Ｆ）３５を備えている。
【００４４】
インターフェース３５にはハードディスク３６、ＣＤ−ＲＯＭドライブ３７に加え、制御手段３０のコントロールに従って、ＣＣＤカメラ１１による撮影を制御するのためのカメラ駆動装置４０、照明装置１５を制御するための照明制御装置４１、ハードディスク３６に記録された音響データをスピーカ１６から出力させるための音響制御装置４２などの外部機器が接続されており、ＣＰＵ３２とこれら各機器との間における信号の授受が可能とされている。
【００４５】
また、コイン処理部４３は、コイン投入口に投入された硬貨を検出し、所定の利用料金が支払われた場合はＣＰＵ３２にその旨を通知するものであり、プリンタ４４は、レイアウトされた撮影画像を例えばＡ６サイズの写真シールに印刷して写真シール排出口１８に排出するものである。
【００４６】
なお、ハードディスク３６は、自動写真撮影装置１の動作を制御するためのプログラム、及び、スピーカ１６から出力されるべき音楽情報を初めとする各種情報を格納している。
【００４７】
図３は、本実施形態に係る自動写真撮影装置１において、撮影セッションの進行中に表示部１２に表示される画像イメージである。
【００４８】
画像イメージ中央に大きく表示される人物画像は、ＣＣＤカメラ１１から取り込まれたビデオ映像をスルーまたはキャプチャーで表示するプレビュー画像５１であり、表示部左には、表示部上方から下方に延びる軌道５２、下方に一頂点が方向付けられた三角形状の第１マーク５３、及び、軌道５２に対して垂直に配置された直線状の第２マーク５４が、また、表示部右下には、人型キャラクタ５５がそれぞれプレビュー画像５１に重ね合わせて表示されている。
【００４９】
また、この例では、３個の第１マーク５３が同時に表示されているが、第１マーク５３のそれぞれは、同一の速度で軌道５２上を、表示部上方から下方に向けて移動しつつ表示される。また、第２マーク５４は、軌道５２の下方に固定的に表示されており、第２マーク５４の側方には、該マークが撮影タイミングを表示するものであることを示す表記（Ｓｈｏｔ）が表示されている。
【００５０】
図４は、図３の表示から所定時間経過後において、第１マーク５３の一つの表示位置（表示高さ）が第２マークの表示位置（表示高さ）と一致した時点の表示部１２の画像であり、ＣＣＤカメラ１１による写真撮影（ＣＣＤカメラ１１が撮影しているビデオ映像、即ち、プレビュー画像５１のＣＣＤカメラ１１が内蔵するバッファメモリへの記録）はこのタイミングで行われる。
【００５１】
従って、利用者は、第１マーク５３の移動速度及び第１マーク５３と第２マーク５４間の距離から、どの程度の時間経過後に写真撮影が行われるかを感覚的に理解することが可能となり、また、１度目と２度目の撮影の時間間隔が比較的長いこと、２度目と３度目の撮影の時間間隔が比較的短いことを感覚的に理解することが可能となる。
【００５２】
なお、軌道５２の長さと、第１マーク５３の移動速度を適切に設定することで、第１マーク５３が最初に軌道５２上部に表示されてから第２マーク５４の表示位置に移動するまでの移動時間を調整することが可能である。利用者は第１マーク５３が、第２マーク５４の表示位置に移動するまでの間に写真撮影のタイミングを把握すれば足りることから、かかる移動時間を十分に長くなるよう設定することにより、利用者が常に表示部１２を注視していなければならない不都合を解消することができる。
【００５３】
人型キャラクタ５５は、音楽に合わせて刻々とポーズを変化させており、図４においては、図３とは異なる姿態で表示されている。利用者はこの人型キャラクタの姿態を参考に自身のポーズ取りを行っているため、図４に示されるように、人型キャラクタ５５と同様のポーズのプレビュー画像５１が表示されており、この状態のプレビュー画像５１がバッファメモリに記録されることとなる。
【００５４】
次に、図５に示すフローチャートに従って、本実施形態に係る自動写真撮影装置１の動作を説明する。なお、以下では、前奏の部分、歌唱の部分、間奏の部分、後奏（エンディング）の部分より構成される歌曲に合わせて撮影セッションが進行する自動写真撮影装置１の場合を例にとり説明を行う。
【００５５】
利用者がコイン投入口に所定の料金を投入すると、コイン処理部は所定の料金が支払われたことを制御手段３０に通知し、制御手段３０はハードディスク３６にインストールされているプログラムに従い、例えば図６（ａ）のような複数の曲目のリストから演奏すべき音楽（歌曲）の選択を促す曲目選択画面６１をタッチパネル式モニタ１３に表示して、利用者による選択入力を受け付ける（ステップＳ１）。
【００５６】
曲目の選択は、例えば、曲目選択画面６１に表示される曲タイトル６２のいずれかにタッチペン１４先端を接触させて反転表示させた後に、画面下のＯＫボタン６３を操作することにより行うことができる。
【００５７】
曲目の選択が検出されると、制御手段３０は、ハードディスク３６から選択された曲目に対応する音楽情報の読み込みを行い、音楽をスピーカ１６から再生させる。
【００５８】
続いて、制御手段３０は、音楽が前奏の段階である間に、背景の設定のためのステップ（ステップＳ２〜Ｓ４）を実行する。
【００５９】
即ち、制御手段３０は、ステップＳ２において、タッチパネル式モニタ１３に、図６（ｂ）に示す背景指定画面７１を表示する。
【００６０】
図示されるように背景指定画面７１は、選択肢としてカーテンの使用７２と背景板の使用７３を表示しており、利用者は、タッチパネル式モニタ１３上でタッチペン１４を操作していずれかの選択肢を反転表示させた状態で、画面下のＯＫボタン７４を操作することにより、背景指定を行うことができる。
【００６１】
ステップＳ２においてカーテンの使用７２が選択された場合には、制御手段３０は、カーテン変更（ステップＳ３）の処理を実行し、撮影セッション（ステップＳ６）において使用するカーテンの選択を受け付けるとともに、選択されたカーテンのカーテン装置２６からの繰り出しを行う。
【００６２】
即ち、ステップＳ３において、制御手段３０は、タッチパネル式モニタ１３上に、図６（ｃ）に示すようなカーテン選択画面８１を表示する。
【００６３】
画面８１の中央部には、現在使用されているカーテンの種類８２が表示され、該表示の左右の矢印マーク８３、８４をタッチペン１４で操作することによりカーテンの種類８２を変更することができ、更に、希望する種類のカーテンが表示されている状態で画面下のＯＫボタン８５を操作することにより、カーテンの選択が行われる。
【００６４】
制御手段３０は、選択の内容に応じて、現在繰り出されているカーテンを巻き戻すとともに、選択されたカーテンを繰り出すようカーテン装置２６を制御する。
【００６５】
なお、上記画面下部には残り時間８６が表示され、利用者に対して、カーテンの選択のために許容される時間が告知される。なお、残り時間８６は、歌唱の部分が開始するまでの時間を表示するものとすることができ、この間に、制御手段３０は、撮影セッションデータの読込み（ステップＳ５）を実行する。
【００６６】
一方、ステップＳ２において背景板の使用７３が選択された場合には、制御手段３０は、背景板変更指示（ステップＳ４）の処理を実行する。
【００６７】
ステップＳ４では、タッチパネル式モニタ１３上に、図６（ｄ）に示される背景板選択指示画面９１が表示され、「ボードを選んでね！」などの背景板の選択を促すメッセージ９２が表示され、利用者はこれに従って、複数の背景板から気に入った背景板を撮影ブース２０の背面２３に平行に配置することで背景の選択を行うことができる。
【００６８】
背景板選択指示画面９１においても画面下部に残り時間９３が表示され、利用者に対して、背景板の選択のために許容される時間が告知される。なお、残り時間９３は、歌唱の部分が開始するまでの時間を表示するものとすることができ、この間に、制御手段３０は、撮影セッションデータの読込み（ステップＳ５）を実行する。
【００６９】
このように、前奏中にカーテン装置、或いは、背景板よりなる背景手段の選択を行うものとし、当該選択に利用者を関与させることで、前奏中に利用者が退屈を感じることを防止することができる。
【００７０】
ステップＳ５において、制御装置は、ハードディスク３６に記録された撮影セッションデータの読込みを行う。
【００７１】
撮影セッションデータは、ＣＣＤカメラ１１による撮影のタイミングを規定するデータ、第１マーク５３を軌道５２上に出現させるタイミングや移動速度、第２マーク５４の表示位置を規定するデータ、人型キャラクタ５５の表示態様を規定するデータ、或いは、時々刻々における照明制御装置４１の動作を規定するデータなど、撮影セッションの実行のために必要とされる各種データである。
【００７２】
なお、撮影セッションデータは、音楽の進行中における盛り上がりの部分において、ＣＣＤカメラ１１による撮影が適切な照明のもとに行われ、人型キャラクタ５５が音楽の雰囲気に合致した態様でダンスを踊っているように見えるようにそれぞれ適切に設定され、また、第１マーク５３の表示タイミングや移動速度等は、各第１マーク５３が第２マーク５４の表示位置に到来するタイミングとＣＣＤカメラ１１による各撮影タイミングが一致するよう適切に設定されている。
【００７３】
ステップＳ５は、例えば、前奏の部分が終了して歌唱の部分が開始されるまでの間に完了するものとすることができ、制御手段３０は、歌唱の部分の開始とともに撮影セッション（ステップＳ６）を実行する。
【００７４】
ステップＳ６においては、制御手段３０は、音楽の歌唱の部分をスピーカから出力させるとともに、読み込まれた撮影セッションデータに従って上記プログラムを実行することにより、出力される音楽と同期させて一連の写真撮影を実行し、図３、４に示す態様で、第１、第２マーク５３、５４や人型キャラクタ５５を表示させる。
【００７５】
なお、撮影セッションの進行中、表示部１２にはＣＣＤカメラ１１により撮影されるリアルタイムのプレビュー画像５１が継続的に表示されているが、利用者による撮影画像の確認のため、写真撮影実行から所定の時間、バッファメモリに固定された画像をスチル映像として表示するものとすることができる。
【００７６】
撮影セッションが進行して、歌唱の部分が中断した時点で、制御手段３０は、音楽が間奏に入ったのか、エンディングの後奏に入ったのかを検知し（ステップＳ７）、間奏を検知した場合には、制御手段は、背景指定受付のステップに戻り、再度、ステップＳ２〜Ｓ４を実行することにより背景手段を変更し、ステップＳ５において撮影セッションデータの読み込みを行った後、再度、撮影セッション（ステップＳ６）が実行される。
【００７７】
なお、この場合、図６（ｃ）、（ｄ）に示すカーテン選択画面８１、背景板選択指示画面９１における文字表記（「前奏中」など）は適宜変更（例えば、「間奏中」などに）するものとしても構わない。
【００７８】
このように、間奏中にカーテン装置、或いは、背景板よりなる背景手段の変更を行うものとし、当該変更に利用者を関与させることで、間奏中に利用者が退屈を感じることを防止することができる。
【００７９】
なお、間奏中に実行されるステップＳ２〜ステップＳ４の処理期間中には、写真撮影を行わないものとすることができ、更に、この期間中にＣＣＤカメラ１１が備えるバッファメモリに蓄積された画像データをＲＡＭ３４などのより大容量の記憶装置に転送するものとすることができ、これにより、バッファメモリの記憶容量が小さい場合でも、より多くの写真撮影の実行を可能とすることができる。
【００８０】
なお、例えば、間奏後に実行される撮影セッションにおける撮影タイミングや照明効果などが間奏前における撮影セッションと同様である場合には、間奏後の撮影セッションデータの読み込みのステップＳ５は実行しないものとすることも可能である。
【００８１】
一方、ステップＳ７において、音楽の後奏が検出された場合には、制御手段３０は、例えば、音楽の終了を待って、更に、画像編集受付（ステップＳ８）、画像提供（ステップＳ９）などの処理を実行するものとすることができる。
【００８２】
ステップＳ８は、撮影された複数の画像から利用者が選択する画像に対して明度、色彩などの変更、他の画像との結合、らくがき、あるいは、印刷用レイアウトの設定など、より多様で魅力的な写真作成を可能とするための従来公知の画像編集の入力を受け付けるものとすることができる。
【００８３】
ステップＳ９は、撮影画像にステップＳ８で受け付けた編集を加えたデータをプリンタ４４に受け渡して印刷を実行することにより写真シールを作成し、これを写真シール排出口１８から提供するものとすることができ、或いは、撮影画像にステップＳ８で受け付けた編集を加えたデータを図示されない通信機構を使用して、利用者が所有する携帯電話、ＰＤＡやパソコンなどにブルートゥスなどの直接的な通信方法により、或いは、通信回線やインターネットなどを介して提供するものとして構成することができる。
【００８４】
なお、上記した実施形態における装置の構造、動作、表示部に表示される各要素の形状などは、あくまで例として記載したものであり、本発明はこれら実施形態により限定されるものではない。
【００８５】
即ち、上記した実施形態においては、第１、第２マーク５３、５４や人型キャラクタ５５は、表示部１２に表示される場合を例にとり説明したが、かかる表示は、タッチパネル式モニタ１３に表示されるものとすることも可能である。
【００８６】
また、上記した実施形態においては、第２マークは軌道上の所定位置に固定的に表示される場合につき説明したが、例えば第２マークを軌道上の所定位置から所定の距離範囲内で往復移動しつつ表示するなどにより、撮影タイミングの把握にゲーム性を持たせることも可能である。
【００８７】
また、上記した実施形態においては、撮影タイミングに応じて複数の第１マークが所定の態様で移動表示され、第２マークは軌道上の所定位置に固定的に表示される場合について説明したが、複数の第１マークを軌道上のそれぞれ異なる位置に固定的に表示させるとともに、第２マークを軌道上において移動表示させて、第２マークが各第１マークの表示位置に到来したタイミングで写真撮影を実行するものとすることも可能である。
【００８８】
また、上記した実施形態においては、第１マーク５３が第２マーク５４の表示位置に到来するタイミングと写真撮影のタイミングを一致させる場合を例にとり説明したが、例えば、写真撮影のタイミングを両マークの表示位置の一致のタイミングに対して所定時間先行させ、或いは、遅延させることが可能である。
【００８９】
また、第２マークの表示は省略し、第１マークが軌道や表示部の端部など、軌道上の所定位置に到来するタイミングにおいて写真撮影を行うものとすることも可能である。
【００９０】
【発明の効果】
以上の説明から明らかなとおり、本発明は、利用者を撮影する撮影装置と、少なくとも音楽情報を記録する記録装置と、前記音楽情報を再生して音楽を出力する音響装置と、利用者に対して情報を視覚的に表示する表示部を有する表示装置と、前記撮影装置、音響装置、及び表示装置を制御する制御手段とを備え、前記音響装置から再生される音楽の進行中における所定のタイミングで前記撮影装置による写真撮影を実行する自動写真撮影装置であって、前記制御装置は、前記表示部に設定された軌道上に第１マークと第２マークを表示するとともに、前記第１、第２マークの少なくとも一方は前記軌道上を両者が接近する方向に移動させつつ表示し、前記第１、第２マークの表示位置が一致するタイミングに合わせて、前記撮影装置による写真撮影を実行することを特徴とする自動写真撮影装置とすることにより、音楽を楽しみつつ、或いは、音楽に合わせてダンスを踊り、自由にポーズを取りながら写真撮影を行うことができる自動写真撮影装置であって、音楽の雰囲気を損なうことなく、写真撮影のタイミングを感覚的に容易に把握できる態様で利用者に告知することができる自動写真撮影装置を実現することができる。
【００９１】
また、前記制御装置を、前記表示部に設定された軌道上を所定方向に移動する第１マークを表示し、前記第１マークが前記軌道上の所定位置に到来するタイミングに合わせて、前記撮影装置による写真撮影を実行するものとすることにより、より簡略化された制御によって、上記と同様の効果を得ることができる。
【００９２】
前記制御装置が、前記軌道上のそれぞれ異なる位置に２以上の前記第１マークを表示し、或いは更に、それぞれの前記第１マークを前記軌道上において同一の速度で移動させるものとして構成することにより、利用者に対して複数回の撮影のタイミングを同時に告知するものとし、更には、各撮影のタイミングや連続して行われる撮影の回数、撮影と撮影の時間間隔などをより感覚的に容易に把握できるものとすることができる。
【図面の簡単な説明】
【図１】本発明の一実施形態に係る自動写真撮影装置の構成を示す斜視説明図
【図２】本発明の一実施形態に係る自動写真撮影装置のシステム構成図。
【図３】本実施形態に係る自動写真撮影装置において、撮影セッションの進行中に表示部に表示される画像イメージ。
【図４】本実施形態に係る自動写真撮影装置において、撮影セッションの進行中に表示部に表示される画像イメージ。
【図５】本実施形態に係る自動写真撮影装置の動作を説明するフローチャート。
【図６】（ａ）曲目選択画面を、（ｂ）は背景指定画面を、（ｃ）はカーテン選択画面を、（ｄ）背景板変更指示画面をそれぞれ示す説明図。
【符号の説明】
１  自動写真撮影装置
１０  筐体
１１  ＣＣＤカメラ
１２  表示部
１３  タッチパネル式モニタ
１４  タッチペン
１５  照明装置
１６  スピーカ
１７  コイン投入口
１８  写真シール排出口
２０  撮影ブース
２１  天井面
２２  側面
２３  背面
２４  開口
２５  カーテン
２６  カーテン装置
２７  支柱
２９  背景板
３０  制御手段
３１  バス
３２  ＣＰＵ
３３  ＲＯＭ
３４  ＲＡＭ
３５  インターフェース
３６  ハードディスク
３７  ＣＤ−ＲＯＭドライブ
４０  カメラ駆動装置
４１  照明制御装置
４２  音響制御装置
４３  コイン処理部
４４  プリンタ
５１  プレビュー画像
５２  軌道
５３  第１マーク
５４  第２マーク
５５  人型キャラクタ
６１  曲タイトル
６２  ＯＫボタン
７１  背景指定画面
７２  カーテンの使用の選択肢
７３  背景板の使用の選択肢
７４  ＯＫボタン
８１  カーテン選択画面
８２  カーテン種類表示
８３  矢印マーク
８４  矢印マーク
８５  ＯＫボタン
８６  残り時間表示
９１  背景板選択指示画面
９２  メッセージ
９３  残り時間表示
【図１】
0003715602.tif 000002
【図２】
0003715602.tif 000003
【図３】
0003715602.tif 000004
【図４】
0003715602.tif 000005
【図５】
0003715602.tif 000006
【図６】
0003715602.tif 000007